(57)【要約】【課題】供給電力が変動する電源を用いて高効率で安定的に水素を製造する技術を提供する。【解決手段】水素製造装置１０は、電力を発電する電源１１と、この電力の発電量に基づいて水蒸気を発生する水蒸気発生部２０と、この電力の供給により水蒸気を水素と酸素に電解するセルスタック１２と、予め定めたセル温度に設定されたセルスタック１２における吸熱と発熱とがバランスする熱中立点に電力の電圧を調整する電圧調整部１３と、電圧が熱中立点に調整された電力を水蒸気の流量に基づきパルス幅制御してセルスタック１２に供給する電力供給部１８と、を備えている。【選択図】図１
2020041202.tif 000002
【特許請求の範囲】
【請求項１】
電力を発電する電源と、
前記電力の発電量に基づいて水蒸気を発生する水蒸気発生部と、
前記電力の供給により前記水蒸気を水素と酸素に電解するセルスタックと、
予め定めたセル温度に設定された前記セルスタックにおける吸熱と発熱とがバランスする熱中立点に、前記電力の電圧を調整する電圧調整部と、
電圧が前記熱中立点に調整された前記電力を、前記水蒸気の流量に基づきパルス幅制御して、前記セルスタックに供給する電力供給部と、を備えることを特徴とする水素製造装置。
【請求項２】
請求項１に記載の水素製造装置において、
前記電力供給のために複数の前記セルスタックを互いに直列接続させたグループを形成し、
複数のグループに対し、前記電力の供給／停止をそれぞれ独立に切り替える第１切替部と、
前記電力が供給される前記グループに対し前記水蒸気を供給し、前記電力が停止される前記グループに対し前記水蒸気を停止するように切り替える第２切替部と、を備える水素製造装置。
【請求項３】
請求項２に記載の水素製造装置において、
前記第１切替部及び前記第２切替部は、前記電源の発電量に基づいて、前記電力及び前記水蒸気の供給をする前記グループの数を変更する水素製造装置。
【請求項４】
請求項１に記載の水素製造装置において、
前記電力供給のために複数の前記セルスタックを互いに直列接続させたグループを形成し、
隣接する前記グループを横断するように前記セルスタックのそれぞれの水素極が直列に接続され、それぞれの酸素極が直列に接続される水素製造装置。
【請求項５】
請求項１から請求項４のいずれか１項に記載の水素製造装置において、
前記電力は、再生可能エネルギーを変換して発電されたものである水素製造装置。
【請求項６】
請求項１から請求項５のいずれか１項に記載の水素製造装置において、
前記電源の発電量に基づく設定値を入力する機能と、
前記設定値に基づいて前記水蒸気の目標流量を演算し、この目標流量に対応する流量調節弁の操作信号を前記水蒸気発生部に出力する機能と、
前記水蒸気の流量の測定値を入力し、この測定値に基づいて前記セルスタックへの目標電流を演算し、この目標電流に対応するパルス幅の設定信号を前記電力供給部に出力する機能と、
を有する制御部を備える水素製造装置。
【請求項７】
請求項６に記載の水素製造装置において、
前記水蒸気の目標流量の演算及び前記セルスタックへの目標電流の演算の少なくとも一方に遅れ要素が組み込まれる水素製造装置。
【請求項８】
電源が電力を発電するステップと、
水蒸気発生部が前記電力の発電量に基づいて水蒸気を発生するステップと、
前記電力の供給により前記水蒸気を水素と酸素に電解するセルスタックが、予め定めたセル温度に設定されるステップと、
電圧調整部が、前記セルスタックにおける吸熱と発熱とがバランスする熱中立点に、前記電力の電圧を調整するステップと、
電力供給部が、電圧が前記熱中立点に調整された電力を、前記水蒸気の流量に基づきパルス幅制御して、前記セルスタックに供給するステップと、を含むことを特徴とする水素製造方法。
【発明の詳細な説明】
【技術分野】
【０００１】
本発明の実施形態は、供給電力が変動する電源を用いて水素を製造する技術に関する。
【背景技術】
【０００２】
水素を主たるエネルギー媒体として用いる水素エネルギー社会の実現が注目されている。水素を効率よく製造する技術として、高温水蒸気電解法が広く知られている。この高温水蒸気電解法は、固体酸化物電解セル（ＳＯＥＣ：solid oxide electrolysis cells）を用いて、５００℃以上（通常は７００℃程度）の高温にて水蒸気を電気分解することにより水素及び酸素を生成する。
【０００３】
この方法の特徴は、高温環境下で水蒸気を電解することにより、常温下での水電解に比べて電気分解に必要な電力を低減させることができることである。さらに、高温であるので電極の反応活性が高く電極過電圧が小さい、さらに、環境の熱を利用して電解反応が進む。この特性のために、電解時に固体酸化物電解セルで発生する電解損失熱を、電解反応に利用することができる特徴がある。このため固体酸化物電解セルは、電解時にエネルギー損失なく水蒸気を電解できる有利な特徴を持つ。
【先行技術文献】
【特許文献】
【０００４】
【特許文献１】特開２００２−３４８６９４号公報
【特許文献２】特開２００５−２８１７１６号公報
【特許文献３】特開２０１３−４９６００号公報
【特許文献４】特開２０１６−３７６４３号公報
【発明の概要】
【発明が解決しようとする課題】
【０００５】
ＳＯＥＣ電解装置における主な消費エネルギーは、電解電力の他に、電気炉や配管に設置する電気ヒータの保温電力、及び水を加熱して水蒸気を作るためのボイラ電力がある。ここで、電解電力は水素製造量に比例するので製造効率[ｋＷｈ／Ｎｍ3]は一定である。また保温電力は、水素製造量とは関係なく一定であり、電源からの供給電力の変動との関連性はない。
【０００６】
そして、ボイラ電力は、水蒸気の利用効率（電解に使われた水蒸気量／供給した水蒸気量）が一定であれば、電源からの供給電力に依存することなく水素製造効率[ｋＷｈ／Ｎｍ3]を変動させることはない。しかし、ボイラ電力は、電源からの供給電力の変動に伴い水蒸気利用効率が低下すると、電解されない余剰水蒸気を生成した電力が損失となり水素製造効率[ｋＷｈ／Ｎｍ3]を低下させる。このことから、電源からの供給電力の変動に関わりなく高い水素製造効率を維持するために、余剰水蒸気の生成を削減するＳＯＥＣ電解装置の構造と制御方法が求められる。
【０００７】
さらに、ＳＯＥＣの水素ライン下流における流体成分は、水蒸気と水素という分子量の大きく異なるガス成分からなる。このため、水蒸気と水素の成分率が大きく変化すると、水素ライン下流側の圧損も大きく変化する。一方、酸素ラインの圧力は生成した酸素の量にのみ関係する。この結果、水蒸気と水素の成分率の変化が、水素極と酸素極に圧力差を生じさせてＳＯＥＣにダメージを与え、水素の製造を不安定化させることになる。このことからも、電源からの供給電力の変動に関わりなく、ＳＯＥＣの水素ライン下流側における水蒸気と水素の成分率は、変化しないことが望ましい。
【０００８】
本発明の実施形態はこのような事情を考慮してなされたもので、供給電力が変動する電源を用いて高効率で安定的に水素を製造する技術を提供することを目的とする。
【課題を解決するための手段】
【０００９】
実施形態に係る水素製造装置において、電力を発電する電源と、前記電力の発電量に基づいて水蒸気を発生する水蒸気発生部と、前記電力の供給により前記水蒸気を水素と酸素に電解するセルスタックと、予め定めたセル温度に設定された前記セルスタックにおける吸熱と発熱とがバランスする熱中立点に前記電力の電圧を調整する電圧調整部と、電圧が前記熱中立点に調整された前記電力を前記水蒸気の流量に基づきパルス幅制御して前記セルスタックに供給する電力供給部と、を備えている。
【発明の効果】
【００１０】
本発明の実施形態により、供給電力が変動する電源を用いて高効率で安定的に水素を製造する技術が提供される。
【図面の簡単な説明】
【００１１】
【図１】本発明の第１実施形態に係る水素製造装置の構成図。
【図２】固体酸化物電解セル（ＳＯＥＣ）の吸発熱特性を示すグラフ。
【図３】固体酸化物電解セル（ＳＯＥＣ）の電流−電圧特性を示すグラフ。
【図４】電力供給部におけるパルス幅制御（ＰＷＭ制御）を説明するグラフ。
【図５】セルスタックを構成する単位セルの内部を流れる水素と水蒸気の成分の推定分布を示すグラフ。
【図６】第２実施形態に係る水素製造装置の構成図。
【図７】第３実施形態に係る水素製造装置の構成図。
【図８】（Ａ）（Ｂ）各実施形態に適用される制御部の回路図。
【発明を実施するための形態】
【００１２】
（第１実施形態）
以下、本発明の実施形態を添付図面に基づいて説明する。図１に示すように第１実施形態に係る水素製造装置１０は、電力を発電する電源１１と、この電力の発電量に基づいて水蒸気を発生する水蒸気発生部２０と、この電力の供給により水蒸気を水素と酸素に電解するセルスタック１２と、予め定めたセル温度に設定されたセルスタック１２における吸熱と発熱とがバランスする熱中立点に電力の電圧を調整する電圧調整部１３と、電圧が熱中立点に調整された電力を水蒸気の流量に基づきパルス幅制御してセルスタック１２に供給する電力供給部１８と、を備えている。
【００１３】
電源１１は、太陽光や風力等の再生可能エネルギーを変換した電力を発電するものが例示される。しかし電源１１は、このような再生可能エネルギーを利用するものに限定されることは特に無く、化石エネルギーを利用するものであってもよい。
【００１４】
水蒸気発生部２０は、電源１１における電力の発電量に基づいて水蒸気を発生する。水蒸気発生部２０は、水蒸気を供給して水素を回収する水蒸気−水素ライン４３と、空気を流して生成した酸素を排気する空気−酸素ライン４７に接続している。
【００１５】
水蒸気−水素ライン４３の一端の水素極入口４１の側には、熱回収のための熱交換器２５を介して水蒸気を発生するボイラ２１が設置されている。そしてボイラ２１で発生した水蒸気は、流量調節弁２２により流量が調整される。さらに水蒸気は、電気炉１５の雰囲気で高温となって水素極出口４２から排気される流体（水素）の熱によって熱交換器２５において加熱された後に、水素極入口４１に入力される。なお、後述するが流量調節弁２２の調整量は、電源１１の発電量の情報に基づいて決定される。
【００１６】
空気−酸素ライン４７の酸素極出口４６の下流側には、熱回収のための熱交換器２６が設置されている。そして空気−酸素ライン４７の酸素極入口４５の上流側には、圧縮空気を出力するコンプレッサ（図示略）が熱交換器２６を介して設置されている。
【００１７】
そして、酸素極入口４５に圧縮空気が入力されることで、ＳＯＥＣで生成した酸素ガスが酸素極出口４６から排出される。さらに酸素極入口４５への供給流体（空気）は、電気炉１５の雰囲気で高温となって酸素極出口４６から排気される流体（空気＋酸素）の熱によって熱交換器２６において加熱される。
【００１８】
セルスタック１２は、平板形状の固体酸化物電解セル（ＳＯＥＣ：solid oxide electrolysis cells）（図示略）が、その厚み方向に積層して構成されている。このＳＯＥＣは、流動する水蒸気（Ｈ2Ｏ）を還元して水素ガス（Ｈ2）及び酸素イオン（Ｏ2-）を生成する水素極（図示略）と、この水素極が片面に設けられ生成した酸素イオン（Ｏ2-）を反対面に輸送する電解質（図示略）と、この電解質の反対面に設けられ輸送された酸素イオン（Ｏ2-）を酸化して酸素ガス（Ｏ2）を生成する酸素極（図示略）と、から構成されている。
【００１９】
第１実施形態においてセルスタック１２mnは、電力供給のために複数（図示はｎ＝８）のものが互いに直列接続された、複数（図示はｍ＝３）のグループを形成している。そして、隣接するグループを横断するようにセルスタック１２mnのそれぞれの水素極を並列に接続した水蒸気−水素ライン４３、それぞれの酸素極を並列に接続した空気−酸素ライン４７が設けられている。
【００２０】
そして、水蒸気−水素ライン４３の両端には、原料としての水蒸気を入力するための水素極入口４１と電気分解により生成した水素ガスを出力するための水素極出口４２とが設けられている。さらに、空気−酸素ライン４７の両端には、パージ目的の空気を入力するための酸素極入口４５とこの空気及び電気分解により生成した酸素ガスを排出するための酸素極出口４６とが設けられている。このように、全てのセルスタック１２mnが水蒸気−水素ライン４３及び空気−酸素ライン４７に対し、並列に接続されていることにより、圧損を小さくすることができる。
【００２１】
そして、セルスタック１２を構成する全ての固体酸化物電解セル（ＳＯＥＣ）は、電気炉１５の内部に収容され、電気ヒータ１６により７００℃程度の高温に保持されている。このように高温環境下で水蒸気を電解することにより、常温下での水電解に比べて電気分解に必要な電力を低減させることができる。
【００２２】
図２は固体酸化物電解セル（ＳＯＥＣ）のの吸発熱特性を示すグラフである。水の電解は吸熱反応であるため、電流密度の増加に伴いセル温度が低下していく。更に電流密度を増加するとセルのオーム損による発熱反応が吸熱を上回り、セル温度は上昇に転じる。そして、丸印の部分が吸熱と発熱がバランスする熱中立点となる。
【００２３】
この吸熱と発熱がバランスする熱中立点においては、ＳＯＥＣは発熱も吸熱もしないが、これ以下のセル温度では吸熱して温度が低下する。逆に熱中立点以上のセル温度ではＳＯＥＣは発熱して温度が上昇する。したがって、熱中立点に相当するセル温度及びセル電圧で水電解することは、エネルギーを新規投入することなくセル温度を維持でき、水素の生成効率の観点から望ましい。また、セル温度が熱中立点に固定されて水電解がなされることにより、セラミックスで構成されるＳＯＥＣの温度変化が小さくなり、耐久性の観点からも望ましい。
【００２４】
電圧調整部１３（図１）は、電源１１からの供給電力が交流である場合、電圧調整部１３は、整流器（図示略）で直流に変換後、ＤＣ／ＤＣコンバータ（図示略）で所定の中立点電圧に変換する。電源１１からの供給電力が直流の場合には整流器は不要である。
【００２５】
図３は固体酸化物電解セル（ＳＯＥＣ）の電流−電圧特性を示すグラフである。ＳＯＥＣにおいて、熱中立点における単セル電圧は、理論的に約１．３Ｖである。そして電流が流れ始める単セルの開回路電圧は約０．９Ｖである。ＳＯＥＣの電流−電圧特性は、この開回路電圧（０．９Ｖ）を超えたところで、セル電圧の増加に伴い電流密度が増加する。
【００２６】
図４は電力供給部１８におけるパルス幅制御（ＰＷＭ：Pulse Width Modulation）を説明するグラフである。電力供給部１８（図１）は、水蒸気発生部２０で発生した水蒸気の流量に基づいて、電圧が熱中立点に調整された電力をパルス幅制御し、セルスタック１２に供給する。矩形波電圧は、熱中立電圧と０Ｖを繰り返す。平均電解電圧は熱中立電圧を保つ時間と矩形波の発生周期の比（デューティ比）で決まる。
【００２７】
電源１１が大きな電力を供給しているとき、すなわち水蒸気発生部２０で発生した水蒸気の流量が大きいときはデューティ比を大きくして平均電解電圧を大きくする。逆に、水蒸気の流量が小さいときにはデューティ比を小さくして平均電解電圧を小さくする。これにより、電源１１の供給電力の変動に合わせた電解が可能となる。
【００２８】
図４に示すＰＷＭ制御では、低位電圧は電流が０Ａとなる０Ｖ状態としているが、図３に示すように低位電圧を開回路電圧（約０．９Ｖ）まで低下すれば電解電流は０Ａとなるため、低位電圧を開回路電圧（約０．９Ｖ）にしてＰＷＭ制御してもよい。ＰＷＭ制御によれば、矩形波状の電解電圧を印加する場合には、吸発熱のバランスがとれた２点でＯＮ−ＯＦＦを繰り返すことにより、外部からの加熱、冷却がない一定温度の状態で水素ガスの生成量の調整を行うことができる。
【００２９】
図１に示すように電力供給部１８（１８1，１８2，１８3）は、電気的に直列接続されたｎ個のセルスタック１２が、ｍ個の別々のグループにまとめられて、合計ｍ×ｎ個（図中、３×８＝２４個）接続されている。それぞれのグループには、電力供給部１８（１８1，１８2，１８3）からそれぞれ独立に電解を行うための電力が供給される。これは、複数のセルスタック１２を電気的に並列接続すると、各々のセルスタック１２を熱中立点電圧に維持することが難しくなる場合があるからである。
【００３０】
それぞれのグループに接続する電力供給部１８1，１８2，１８3は、電圧調整部１３から供給される電力の電圧を半導体スイッチＳ１，Ｓ２により矩形波状に加工する。スイッチＳ１，Ｓ２の両方が同時にＯＮになることはなく、電圧の＋側に接続されたスイッチＳ１は、ＯＮのときにプラス電圧をセルスタック１２に供給する。グランド（０Ｖ）に接続されたスイッチＳ２がＯＮのときには０Ｖをセルスタック１２に供給する。電圧調整部１３が出力する電圧Ｖは、グループで直列接続されるセルスタック１２の数ｎに、このセルスタック１２に積層されるＳＯＥＣの数ｐを積算し、さらに熱中立点電圧（１．３Ｖ）を積算した次式で表される。
Ｖ＝ｎ×ｐ×１．３ [Ｖ]
【００３１】
図５はセルスタックを構成する単位セルの内部を流れる水素と水蒸気の成分の推定分布を示すグラフである。横軸はＳＯＥＣ内部の水素極のフローチャネルを流れに沿って２０分割したときの、チャネル上の位置を示す。左端が入口、右端が出口である。縦軸は水素ガス及び水蒸気の各々の流量を示す。
【００３２】
図５の例では、矩形波電圧の周期は、このフローチャネルの通過時間の１/１０、デューティ＝０．５である。流れに沿って１０ステップの階段状に水蒸気が電解され、水素が生成していく様子が観測される。矩形波電圧ＯＮにおいては、水蒸気の電解が行われて水素が増加する。矩形波電圧ＯＦＦにおいては電解が行われないため、水蒸気と水素は水平となる。
【００３３】
このように電解電圧が矩形波状に印加されることになるが、全体としては滑らかに水蒸気の電解が進んでいく。ここで、矩形波電圧のパルス幅は、水蒸気がＳＯＥＣを通過するのに必要とする時間(通過時間)より十分に小さな値とする必要がある。高位電位ＯＮの時間が長いと、その間電解が継続するため、例えデューティが規定値であってもＳＯＥＣ右端の出口で水蒸気枯れが起きる恐れがある。従って、矩形波電圧のパルス幅は水蒸気のＳＯＥＣ通過時間より十分に小さな値、例えば一桁以上ということで１０分の１より短い時間となるように周期を定める必要がある。
【００３４】
このように、再生可能エネルギーを利用する電源１１からの供給電力が変動しても、セルスタック１２を構成するＳＯＥＣは熱中立点にあるので、ＳＯＥＣは発熱も吸熱もしない。この結果、ＳＯＥＣスタック全体を均一な温度に保つことができる。また、半導体スイッチのデューティ比により電解電圧を制御するので、応答時間がミリ秒単位の高速出力制御が可能である。
【００３５】
（第２実施形態）
図６は第２実施形態に係る水素製造装置１０の構成図である。なお、図６において図１と共通の構成又は機能を有する部分は、同一符号で示し、重複する説明を省略する。第２実施形態の水素製造装置１０には、第１切替部１７及び第２切替部１９が設けられている。
【００３６】
第１切替部１７（１７1，１７2，１７3，１７4）は、電力供給のために複数のセルスタック１２を互いに直列接続させたグループに対し、この電力の供給／停止をそれぞれ独立に切り替えるものである。第２切替部１９は、電力が供給されるセルスタック１２のグループに対し水蒸気を供給し、電力が停止されるグループに対し水蒸気を停止するように切り替えるものである。そして、第１切替部１７及び第２切替部１９は、電源１１の発電量に基づいて、電力供給及び水蒸気供給をするグループの数を変更する。
【００３７】
なお、第１切替部１７及び第２切替部１９の設定は、制御部３０（図１）で行うことができる。なお電力の供給／停止を行う第１切替部１７は、別個に設ける必要はなく、電力供給部１８（１８1，１８2，１８3，１８4）のスイッチＳ１（図１）をＯＮ／ＯＦＦすることにより第１切替部１７の機能を兼務させることができる。
【００３８】
図６の例示は、電気的に直列接続した６個のセルスタック１２で一つのグループが形成され、４つのグループのそれぞれに対し、水素極入口４１（４１1，４１2，４１3，４１4）、水素極出口４２（４２1，４２2，４２3，４２4）、酸素極入口４５（４５1，４５2，４５3，４５4）、酸素極出口４６（４６1，４６2，４６3，４６4）が設けられている。なお、水素極入口４１（４１1，４１2，４１3，４１4）の各々は、水蒸気発生部２０（図１）に対して並列に接続されている。その他の水素極出口４２（４２1，４２2，４２3，４２4）、酸素極入口４５（４５1，４５2，４５3，４５4）、酸素極出口４６（４６1，４６2，４６3，４６4）についても同様である。そして、第２切替部１９は、電力供給されているグループの水素極入口４１、水素極出口４２、酸素極入口４５、酸素極出口４６を開放し、それ以外を遮断する。
【００３９】
これにより４つのグループのＳＯＥＣは、水蒸気供給及び電力供給が独立に行なわれる。なお水蒸気の供給／停止は、各々のグループに設けられた流量調節弁（図示略）で行う。このような構成により、例えば、第１、第２、第３グループの運転を行って第４グループを停止することにより７５％運転を実現でき、第１、第２グループの運転を行って第３、第４グループを停止することにより５０％運転を行うことができる。
【００４０】
電気炉１５は７００℃程度の高温に保持されているため、電気炉１５の内部にスイッチ等を設置して電気的な切替を行うことは困難である。また、電気炉１５の内部に弁等を設置して水蒸気の流路切替を行うことも困難である。また、電気炉１５の外部の常温雰囲気にスイッチや弁を置くことは可能であるが、電気炉１５に多数の配管貫通部や電線貫通部を設けることになり、保温構造が成立しない。第２実施形態においては、電源１１の供給電力が大きく変動しても、それぞれのグループを独立に運転／停止して水素を生成するグループの数を調整することで、高効率で安定的な水素製造が実現される。
【００４１】
（第３実施形態）
図７は第３実施形態に係る水素製造装置の構成図である。なお、図７において図１と共通の構成又は機能を有する部分は、同一符号で示し、重複する説明を省略する。
【００４２】
第３実施形態においてセルスタック１２mnは、電力供給のために複数（図示はｎ＝８）のものが互いに直列接続された、複数（図示はｍ＝３）のグループを形成している。そして、隣接するグループを横断するようにセルスタック１２mnのそれぞれの水素極を直列に接続した水蒸気−水素ライン４３、それぞれの酸素極を直列に接続した空気−酸素ライン４７が設けられている。第１実施形態と第３実施形態の相違点は、グループを横断する水素極及び酸素極が第１実施形態では並列接続されているのに対し第３実施形態では直列接続されている点である。
【００４３】
図７の例示においては、８個のセルスタック１２mnが電気的に直列接続してなるグループが３つ形成されている。電源１１の発電量が大きい場合には、第１、第２、第３グループ全てを運転状態として水素の製造能力を最大化する。そして電源１１の発電量が減少した場合には例えば第１、第２グループのみ運転状態として、第３グループを停止する。更に減少した場合には例えば第１グループのみ運転状態として、第２、第３グループを停止する等の方法で、水素の製造能力を調節する。
【００４４】
それぞれのグループの運転／停止は、対応する電力供給部１８のＳ１スイッチのＯＮ／ＯＦＦすることで実現できるが、別個に第１切替部１７（図６）を設けて実現してもよい。第３実施形態では、水素極ガスが全てのセルスタック１２を通過するので、全ての水素極において平等に水蒸気の電解がなされ、水蒸気−水素ライン４３の合流点において水素分圧と水蒸気分圧が等しい状態で合流し水素極出口から出力される。
【００４５】
この構成をとることにより、電解電流によらず水蒸気利用率を一定に保つことができ、運転しているグループの数にかかわらず、生成する水素ガスと未反応の水蒸気の成分比を一定に保つことができる。また、全ての水素極ガスが平等に電解を受けるために、一部のセルスタック１２で水蒸気枯れを起こしたり、逆に水蒸気を多く含んだままＳＯＥＣから排出されたりすることがない。この結果、ＳＯＥＣの下流側の水素極ガスの成分比が一定なので、ＳＯＥＣの水素極と酸素極の圧力差が大きくなることはなく、ＳＯＥＣにダメージを与えることがない。
【００４６】
図８（Ａ）（Ｂ）は、各実施形態に適用される制御部３０（図１参照）の回路図である。なお、図８において図１と共通の構成又は機能を有する部分は、同一符号で示し、重複する説明を省略する。
【００４７】
このように制御部３０は、電源１１（図１）の発電量に基づく設定値３１を入力する機能と、この設定値３１に基づいて水蒸気の目標流量を演算し、この目標流量と流量計２７で測定された水蒸気流量の測定値３６が加算器３４に入力され、目標流量と測定値３６の偏差がＰＩ制御器３２に入力され、このＰＩ制御器３２で演算された流量調節弁２２の操作信号３５を水蒸気発生部２０に出力する機能と、この水蒸気発生部２０の流量計２７で測定された水蒸気流量の測定値３６を入力しこの測定値３６に基づいてセルスタック１２（ＳＯＥＣ）への目標電流（電解電流設定値）を演算し、この目標電流と電流計２８で測定された電流値３９が加算器４０に入力され、目標電流と電流値３９の偏差がＰＩ制御器３７に入力され、このＰＩ制御器３７で演算されたパルス幅の設定信号３８を電力供給部１８に出力する機能と、を有している。
【００４８】
そして、水蒸気の目標流量の演算は水蒸気流量の測定値３６をフィードバックさせて実行され、設定値ＳＶ＞測定値ＰＶであればプラス偏差がＰＩ制御器３２に入力され、流量調節弁２２を所定量開とする操作信号ＭＶが出力され、設定値ＳＶ＜測定値ＰＶであればマイナス偏差がＰＩ制御器３２に入力され、流量調節弁２２を所定量閉とする操作信号ＭＶが出力され、設定値ＳＶ＝測定値ＰＶとなると偏差０であるため、ＰＩ制御器３２からの操作信号ＭＶは変わらず調節弁開度は維持される。
【００４９】
さらに、水蒸気のセルスタック１２（ＳＯＥＣ）の目標電流の演算は電力供給部１８の下流で電流計２８が測定した電流値３９をフィードバックさせて実行され、上記水蒸気流量の制御と同様に、設定値ＳＶ＞測定値ＰＶであればプラス偏差がＰＩ制御器３７に入力され、電力供給部１８を電解電流が増加する方向にパルス幅の設定をする操作信号ＭＶが出力され、設定値ＳＶ＜測定値ＰＶであればマイナス偏差がＰＩ制御器３７に入力され、電力供給部１８にパルス幅を電解電流が減少する方向に設定する操作信号ＭＶが出力され、設定値ＳＶ＝測定値ＰＶとなると偏差０であるため、ＰＩ制御器３７からの操作信号ＭＶは変わらずパルス幅の設定は維持される。
【００５０】
そして、図８（Ａ）においては、水蒸気の目標流量がフィードバック演算される直前に遅れ要素３３ａが組み込まれている。そして、図８（Ｂ）においては、セルスタック１２（ＳＯＥＣ）の目標電流がフィードバック演算される直前に遅れ要素３３ｂが組み込まれている。なお、これら遅れ要素３３ａ，３３ｂは、両方設けられる場合もあり、両方設けられない場合もある。
【００５１】
電源１１の発電量を表す設定値３１は、比例ゲインＫで定数倍される。この定数倍した設定値３１と蒸気流量計２７で計測した蒸気流量の測定値３６とを比較し、蒸気流量の目標流量をＰＩ制御で演算し対応する操作信号３５で蒸気の流量調節弁２２を開閉してセルスタック１２に供給する蒸気流量を調整する。
【００５２】
また、この蒸気流量の測定値３６を比例ゲインＫで定数倍し、電流計２８で計測した電流値３９と比較し、セルスタック１２（ＳＯＥＣ）への目標電流をＰＩ制御で演算し対応するパルス幅の設定信号３８を電力供給部１８に出力する。この電力供給部１８は、電気炉１５内で高温に保持されたセルスタック１２に、ＰＷＭ制御された直流電流を供給し水蒸気の電気分解を行わせる。
【００５３】
ボイラ２１は、圧力制御と水位制御の組み合わせで蒸気発生量を調節している（ボイラのローカル制御）。セルスタック１２への水蒸気供給量を増加するために蒸気流量調節弁２２を開とすると、ボイラ圧力が低下する。これを検知して圧力制御で電気ヒータをＯＮとして蒸気発生量を増加させる。蒸気発生量が増加してボイラ水位が低下すると、水位制御で給水ポンプをＯＮとしてボイラに水を供給する。
【００５４】
以上の構成により、電源１１から供給される電力に対応し電気分解に必要な適切量の水蒸気を、ボイラ２１からセルスタック１２に供給することができる。そして、蒸気流量が変化したことを、蒸気流量計２７の測定値３６で確認する。そのうえで、この水蒸気流量の測定値３６に対応した電圧パルス幅制御を電力供給部１８が実行し、セルスタック１２に適切量の電解電流を供給して、セルスタック１２における水蒸気枯れを防止する。
【００５５】
余剰の水蒸気を発生させればボイラエネルギーが無駄になり水素製造効率が低下する。逆に、発生水蒸気量が不足すれば、電源１１の発電量に追従した電解運転ができなくなるだけでなく水蒸気枯れによるダメージをセルスタック１２に与えてしまう。各実施形態によれば、セルスタック１２にて水蒸気枯れを起こさず、かつ、水蒸気の利用率を適切に保つように、蒸気流量及び電解電流を制御することができる。
【００５６】
次に、ＳＯＥＣによる電解の制御性を改善する方策を説明する。図８（Ａ）に示すように、追加した遅れ要素３３ａを介して、設定値３１に基づき水蒸気の目標流量を演算する。遅れ要素３３ａとしては一次遅れ等のフィルタを設置する。水素製造プロセスは水蒸気が流れている状態であり、ステップ状に水蒸気の目標流量が変更されると圧力が変動してセルスタック１２に悪影響を及ぼす。そこで、適当な一次遅れ時定数をもつ遅れ要素３３ａが設置されることで、水蒸気の目標流量がゆっくりと変更されるように制御演算される。
【００５７】
図８（Ｂ）に示すように、追加した遅れ要素３３ｂを介して、水蒸気流量の測定値３６に基づきセルスタック１２（ＳＯＥＣ）への目標電流を演算する。水蒸気流量の測定値３６は蒸気流量調節弁２２の下流に設置した蒸気流量計２７で計測される。このため、セルスタック１２までの蒸気輸送に遅れがあることを鑑みると、電源１１の発電量が上昇して水蒸気流量の測定値３６が増加しても、その時点ではセルスタック１２における蒸気流量は直前の値のままである。このため、パルス幅の設定信号３８を応答良く調整すると、電解電流が瞬時に増加してしまい、蒸気枯れが発生してセルスタック１２にダメージを与える恐れがある。
【００５８】
遅れ要素３３ｂが設置されることにより、水蒸気流量の測定値３６の増加時は、水蒸気がセルスタック１２に輸送される相当の期間において、現状のパルス幅の設定信号３８が保持される。そして、水蒸気流量の測定値３６の減少時は、電解電流が減少する方向に、即座にパルス幅の設定信号３８を演算する。
【００５９】
以上説明した制御部３０の機能は、専用のチップ、ＰＬＣ（Programmable Logic Controller）、ＦＰＧＡ（Field Programmable Gate Array）、ＧＰＵ（Graphics Processing Unit）、又はＣＰＵ（Central Processing Unit）などのプロセッサを高集積化させた制御装置と、ＲＯＭ（Read Only Memory）やＲＡＭ（Random Access Memory）などの記憶装置と、ＨＤＤ（Hard Disk Drive）やＳＳＤ（Solid State Drive）などの外部記憶装置と、ディスプレイなどの表示装置と、マウスやキーボードなどの入力装置と、通信Ｉ／Ｆとを、備えたハードウェア構成で実現できる。
【００６０】
以上述べた少なくともひとつの実施形態の水素製造装置によれば、電圧が熱中立点に調整された電力を電源の発電量に基づきパルス幅制御してセルスタックに供給することにより、供給電力が変動する電源を用いて高効率で安定的に水素を製造することが可能となる。
【００６１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００６２】
１０…水素製造装置、１１…電源、１２…セルスタック、１３…電圧調整部、１５…電気炉、１６…電気ヒータ、１７…切替部、１８…電力供給部、１９…切替部、２０…水蒸気発生部、２１…ボイラ、２２…流量調節弁、２５，２６…熱交換器、２７…流量計、２８…電流計、３０…制御部、３１…設定値、３２…ＰＩ制御器、３３ａ，３３ｂ…遅れ要素、３４…加算器、３５…操作信号、３６…測定値、３７…ＰＩ制御器、３８…設定信号、３９…電流値、４０…加算器、４１…水素極入口、４２…水素極出口、４３…水素ライン、４５…酸素極入口、４６…酸素極出口、４７…酸素ライン。
【図１】
2020041202.tif 000003
【図２】
2020041202.tif 000004
【図３】
2020041202.tif 000005
【図４】
2020041202.tif 000006
【図５】
2020041202.tif 000007
【図６】
2020041202.tif 000008
【図７】
2020041202.tif 000009
【図８】
2020041202.tif 000010